(57)【要約】【課題】電動送風機の支持剛性を極力抑制しつつ吸込負圧による力を支持する電気掃除機の電動送風機支持構造および電気掃除機を提案する。【解決手段】電気掃除機１の電動送風機支持構造３３は、塵埃分離集塵部７を有する掃除機本体２と、掃除機本体２に収容され塵埃分離集塵部７に連通された吸気口４１を有し運転にともない塵埃分離集塵部７に吸込負圧を発生させる電動送風機８と、掃除機本体２と電動送風機８との間に設けられて電動送風機８を吸気口４１の開口方向へ往復移動自在に支持するとともに吸込負圧に抗して電動送風機８を付勢し運転中の電動送風機８を弾性支持する並進支持機構４８と、を備える。【選択図】  図２
2011200480.tif 000002
【特許請求の範囲】
【請求項１】
集塵部を有する掃除機本体と、
前記掃除機本体に収容され前記集塵部に連通された吸気口を有し運転にともない前記集塵部に吸込負圧を発生させる電動送風機と、
前記掃除機本体と前記電動送風機との間に設けられて前記電動送風機を前記吸気口の開口方向へ往復移動自在に支持するとともに前記吸込負圧に抗して前記電動送風機を付勢し運転中の前記電動送風機を弾性支持する支持機構と、を備えたことを特徴とする電気掃除機の電動送風機支持構造。
【請求項２】
集塵部を有する掃除機本体と、
前記掃除機本体に収容され前記集塵部に連通された吸気口を有し運転にともない前記集塵部に吸込負圧を発生させる電動送風機と、
前記掃除機本体と前記電動送風機との間に設けられて前記電動送風機を前記吸気口の開口方向へ往復移動自在に支持するとともに前記吸込負圧に抗して前記電動送風機を付勢し運転中の前記電動送風機を中立位置へ位置決めする支持機構と、を備えたことを特徴とする電気掃除機の電動送風機支持構造。
【請求項３】
前記支持機構は、前記吸込負圧に抗して前記電動送風機を付勢する付勢部材を備えたことを特徴とする請求項１または２に記載の電気掃除機の電動送風機支持構造。
【請求項４】
前記付勢部材は、前記吸込負圧に抗する方向へ予め付勢力を有することを特徴とする請求項３に記載の電気掃除機の電動送風機支持構造。
【請求項５】
前記付勢部材の付勢力を調整する予荷重負荷機構を備えたことを特徴とする請求項４に記載の電気掃除機の電動送風機支持構造。
【請求項６】
前記付勢部材の付勢力は、圧縮力であることを特徴とする請求項４または５に記載の電気掃除機の電動送風機支持構造。
【請求項７】
前記支持機構は、
前記吸気口の開口方向に対して略平行かつ逆向きに前記電動送風機から突出させて形成された支柱と、
前記掃除機本体に固定されるとともに前記支柱が貫き通された開口を有する支持壁と、
前記支柱に設けられて前記支持壁との間に前記付勢部材を挟み込む座板と、を備えたことを特徴とする請求項３から６のいずれか１項に記載の電気掃除機の電動送風機支持構造。
【請求項８】
前記予荷重負荷機構は、前記座板を前記支柱に締結するとともに前記座板を移動させて前記付勢部材の圧縮力を調整する締結部材を備えたことを特徴とする請求項７に記載の電気掃除機の電動送風機支持構造。
【請求項９】
前記付勢部材の付勢力は、引張力であることを特徴とする請求項４または５に記載の電気掃除機の電動送風機支持構造。
【請求項１０】
前記支持機構は、
前記掃除機本体に固定されるとともに前記電動送風機との間に架設された前記付勢部材を保持する支持壁を備えたことを特徴とする請求項３から５および９のいずれか１項に記載の電気掃除機の電動送風機支持構造。
【請求項１１】
前記予荷重負荷機構は、前記付勢部材の一端および前記支持壁のいずれか一方に設けられた雌ネジ部と、前記付勢部材の一端および前記支持壁のいずれか他方に設けられて前記雌ネジ部に螺合された調整雄ネジと、を備えたことを特徴とする請求項１０に記載の電気掃除機の電動送風機支持構造。
【請求項１２】
請求項１から１１のいずれか１項に記載の電気掃除機の電動送風機支持構造を備えたことを特徴とする電気掃除機。
【発明の詳細な説明】
【技術分野】
【０００１】
本発明は、電気掃除機の電動送風機支持構造および電気掃除機に関する。
【背景技術】
【０００２】
一般に、電気掃除機は、掃除機本体に収容された電動送風機と、掃除機本体に設けられて電動送風機に連通された遠心分離方式または濾過分離方式の塵埃分離集塵部と、塵埃分離部に流体的に接続された吸込口体と、を備える。そして、電気掃除機は、電動送風機を運転して吸込負圧を発生させ、この吸込負圧を吸込口体に作用させて床などの被掃除面上に溜まった塵埃を空気とともに吸い込む。また、電気掃除機は、塵埃分離集塵部において吸込口体に吸い込まれた塵埃と空気とを分離し、塵埃を捕獲して被掃除面の掃除を行う。
【０００３】
ここで、電動送風機は、作動流体である空気中に圧力変動を引き起こす。この圧力変動は、周囲に伝ぱして騒音になる。例えば、動翼を有する遠心ファンの回転にともなって遠心ファンを通過する空気に周期的な圧力変動が起こり、この圧力変動が騒音として伝ぱする。また、電動送風機は、サージングなどの流体的な振動と、回転体のアンバランスによる機械的な振動と、を生じる。このため、電動送風機を掃除機本体内に支持する電動送風機支持構造は、騒音や振動を防振あるいは絶縁するために電動送風機の振幅の小さい位置を充分に柔らかく支持することが望ましい。
【０００４】
そこで、電動送風機の重心近くと掃除機本体との間に架設されたばね部材と、電動送風機のモータ部と掃除機本体との間に空隙を設けて設置された衝撃吸収用の後部弾性体と、電動送風機のファン部と掃除機本体との間に空隙を設けて設置された衝撃吸収用の前弾性体と、を備えた電気掃除機の電動送風機支持構造が知られている（例えば、特許文献１参照）。
【先行技術文献】
【特許文献】
【０００５】
【特許文献１】特開平５−８４１９４号公報
【発明の概要】
【発明が解決しようとする課題】
【０００６】
電動送風機支持構造は、電動送風機の振動を絶縁する目的においては、掃除機本体や電動送風機の剛性に比べて極めて小さな剛性を有する防振支持部を備えることが望ましい。
【０００７】
他方、電動送風機支持構造は、電動送風機の重量と、運転にともなって吸気口の開口方向に向かって電動送風機に働く力（吸込負圧による力）と、を支持する必要がある。特に、吸込負圧による力に抗しきれず、防振支持部が伸張または収縮しきり（いわゆる底付きの状態）電動送風機と掃除機本体との間の支持剛性が高まると、電動送風機の振動が直接的に掃除機本体に伝わり大きな騒音や振動を起こす。
【０００８】
そこで、本発明は、電動送風機の支持剛性を極力抑制しつつ吸込負圧による力を支持する電気掃除機の電動送風機支持構造および電気掃除機を提案する。
【課題を解決するための手段】
【０００９】
前記の課題を解決するため本発明に係る電気掃除機の電動送風機支持構造は、集塵部を有する掃除機本体と、前記掃除機本体に収容され前記集塵部に連通された吸気口を有し運転にともない前記集塵部に吸込負圧を発生させる電動送風機と、前記掃除機本体と前記電動送風機との間に設けられて前記電動送風機を前記吸気口の開口方向へ往復移動自在に支持するとともに前記吸込負圧に抗して前記電動送風機を付勢し運転中の前記電動送風機を弾性支持する支持機構と、を備えたことを特徴とする。
【００１０】
また、本発明に係る電気掃除機の電動送風機支持構造は、集塵部を有する掃除機本体と、前記掃除機本体に収容され前記集塵部に連通された吸気口を有し運転にともない前記集塵部に吸込負圧を発生させる電動送風機と、前記掃除機本体と前記電動送風機との間に設けられて前記電動送風機を前記吸気口の開口方向へ往復移動自在に支持するとともに前記吸込負圧に抗して前記電動送風機を付勢し運転中の前記電動送風機を中立位置へ位置決めする支持機構と、を備えたことを特徴とする。
【００１１】
さらに、本発明に係る電気掃除機は、前記電動送風機支持構造を備えたことを特徴とする。
【発明の効果】
【００１２】
本発明によれば、電動送風機の支持剛性を極力抑制しつつ吸込負圧による力を支持する電気掃除機の電動送風機支持構造および電気掃除機を提供することができる。
【図面の簡単な説明】
【００１３】
【図１】本発明の第１実施形態に係る電気掃除機の電動送風機支持構造が適用された電気掃除機の外観を示した斜視図。
【図２】本発明の第１実施形態に係る電気掃除機の電動送風機支持構造を示した概略的な断面図。
【図３】本発明の第１実施形態に係る電気掃除機の電動送風機支持構造の他の例を示した部分的な断面図。
【図４】本発明の第２実施形態に係る電気掃除機の電動送風機支持構造を示した部分的な断面図。
【発明を実施するための形態】
【００１４】
以下、本発明に係る電気掃除機の電動送風機支持構造および電気掃除機の実施の形態について、図面を参照して説明する。
【００１５】
［第１の実施形態］
本発明に係る電気掃除機の第１実施形態について図１から図３を参照して説明する。
【００１６】
図１は、本発明の第１実施形態に係る電気掃除機の電動送風機支持構造が適用された電気掃除機の外観を示した斜視図である。
【００１７】
図１に示すように、電気掃除機１は、いわゆるキャニスタ型の電気掃除機である。電気掃除機１は、被掃除面上を走行可能な掃除機本体２と、掃除機本体２に着脱自在に接続された管部３と、を備える。
【００１８】
掃除機本体２は、本体ケース５と、本体ケース５の両側方に軸支された一対の車輪６と、本体ケース５に着脱自在に装着された遠心分離方式または濾過分離方式の塵埃分離集塵部７（集塵部）と、塵埃分離集塵部７に連通された電動送風機８と、電動送風機８の駆動を制御する本体制御部９と、電動送風機８に電力を導く電源コード１１と、を備える。
【００１９】
本体ケース５は、塵埃分離集塵部７に連通された本体接続口１２を有する。
【００２０】
塵埃分離集塵部７は、電動送風機８が発生させた負圧によって電気掃除機１に吸い込まれる塵埃を含んだ空気から塵埃を分離し、捕集する。  
車輪６は、掃除機本体２の走行用の大径の走行輪である。
【００２１】
本体制御部９は、予め設定された複数の運転モードを有する。また、本体制御部９は、管部３から入力される操作信号に対応させて複数の運転モードから任意の運転モードを択一的に選択し電動送風機８を駆動させる。それぞれの運転モードは、管部３から入力される操作信号に対応付けられるとともに、電動送風機８の入力値を互いに異ならせて設定される。
【００２２】
電源コード１１は、自由端部に電源プラグ１４を備える。
【００２３】
管部３は、電動送風機８の運転にともない掃除機本体２から作用する負圧によって被掃除面上の塵埃を空気とともに吸い込み掃除機本体２に案内する。管部３は、掃除機本体２の本体接続口１２に着脱自在に接続された接続管１９と、接続管１９に連通された集塵ホース２１と、集塵ホース２１に連通された手元操作管２２と、手元操作管２２から突出させて設けられた把持部２３と、把持部２３に設けられた操作部２４と、手元操作管２２に着脱自在に接続され連通された延長管２５と、延長管２５に着脱自在に接続され連通された吸込口体２６と、を備える。
【００２４】
集塵ホース２１は、細長略円筒状に形成され可撓性を有する。集塵ホース２１の一端は、接続管１９に接続される。集塵ホース２１は、接続管１９を介して掃除機本体２の内部に連通される。
【００２５】
手元操作管２２の一端は、集塵ホース２１の他端に設けられる。手元操作管２２は、接続管１９および集塵ホース２１を介して掃除機本体２の内部に連通される。
【００２６】
把持部２３は、電気掃除機１のユーザが把持して電気掃除機１を操作するものである。把持部２３は、手元操作管２２の他端部から突出させて設けられ手元操作管２２の一端部に指向させて湾曲される。
【００２７】
操作部２４は、それぞれの運転モードに対応させたスイッチを備える。具体的には、操作部２４は、電動送風機８の運転停止操作を受け取る停止スイッチ２４ａと、電動送風機８の運転開始操作を受け取る起動スイッチ２４ｂと、を備える。起動スイッチ２４ｂは、弱運転スイッチ（図示省略）、中運転スイッチ（図示省略）および強運転スイッチ（図示省略）を別個に備える構成にしても良い。電気掃除機１のユーザは、操作部２４を操作して電動送風機８の運転モードを択一的に選択できる。
【００２８】
延長管２５は、伸縮可能な細長略円筒状に形成される。延長管２５は、複数の筒状体を重ね合わせてテレスコピック構造に構成される。延長管２５の一端は、手元操作管２２の他端に着脱自在に接続される。延長管２５は、接続管１９、手元操作管２２および集塵ホース２１を介して掃除機本体２の内部に連通される。
【００２９】
吸込口体２６は、延長管２５の一端に着脱自在に接続される。また、吸込口体２６は、木床やカーペットなどの被掃除面上を走行可能に構成されるとともに、走行状態において被掃除面に対向する底面に吸込口２８を有する。さらに、吸込口体２６は、吸込口体２６に軸支され吸込口２８に配置された回転清掃体２９と、回転清掃体２９を回転駆動させる電動機３１と、を備える。吸込口体２６は、延長管２５、手元操作管２２および集塵ホース２１を介して掃除機本体２の内部に連通される。
【００３０】
電気掃除機１は、起動スイッチ２４ｂが操作されると電動送風機８を駆動させ掃除機本体２の内部に負圧（吸込負圧）を作用させる。この負圧は、本体接続口１２から集塵ホース２１と手元操作管２２と延長管２５とを経て吸込口体２６の吸込口２８に作用する。吸込口２８に作用した負圧によって、電気掃除機１は、被掃除面に溜まった塵埃を空気とともに吸込口２８から吸い込んで被掃除面を掃除する。吸込口２８に吸い込まれた含塵空気は、掃除機本体２に収容された塵埃分離集塵部７によって空気と塵埃とに分離される。分離された塵埃は、塵埃分離集塵部７に捕集される。他方、分離された空気は、塵埃分離集塵部７を通過し電動送風機８に吸い込まれて掃除機本体２から排気される。
【００３１】
図２は、本発明の第１実施形態に係る電気掃除機の電動送風機支持構造を示した概略的な断面図である。  
図３は、本発明の第１実施形態に係る電気掃除機の電動送風機支持構造の他の例を示した部分的な断面図である。
【００３２】
図２または図３に示すように、電気掃除機１の電動送風機８は、電動送風機支持構造３３によって掃除機本体２（より詳しくは、本体ケース５）内に支持される。
【００３３】
掃除機本体２、より詳しくは本体ケース５は、電動送風機８が収容された送風機室３５を区画する区画壁３６を備える。区画壁３６は、塵埃分離集塵部７に連通された送風機室吸気口３７と、掃除機本体２外に連通された送風機室排気口３８と、を有する。
【００３４】
電動送風機８は、掃除機本体２（より詳しくは、本体ケース５）に収容され塵埃分離集塵部７に連通された吸気口４１を有する。電動送風機８は、運転にともない塵埃分離集塵部７に負圧を発生させる。また、電動送風機８は、モータ（図示省略）が収容されたモータ部４２と、モータによって回転される遠心ファン（図示省略）および遠心ファンが吐出した空気をモータ部４２に導くディフューザ（図示省略）を有する遠心ファン部４３と、を備える。モータおよび遠心ファンは、回転軸（図示省略）の回転軸芯Ｃを中心に回転する。さらに、電動送風機８は、遠心ファン部４３に設けられた吸気口４１と、モータ部４２に設けられた排気口４５と、を有する。吸気口４１は、回転軸芯Ｃを略中心とする円形状の開口である。また、吸気口４１の開口方向は回転軸芯Ｃにほぼ沿っている。なお、吸気口４１の開口方向と回転軸芯Ｃとが異なる方向を指向していても良い。
【００３５】
電動送風機８は、運転が開始されると、モータを駆動させて遠心ファンを回転させ吸気口４１から空気を吸い込む。また、電動送風機８は、吸い込んだ空気を遠心ファンからディフューザを経てモータへ案内し、モータを冷却しつつ排気口４５から排気する。
【００３６】
ここで、吸気口４１の開口方向（図２中、実線矢Ａ）に沿う方向へ電動送風機８に働く力を並進力Ｆｔと呼び、回転軸芯Ｃに直交する方向へ電動送風機８に働く力をラジアル力Ｆｒと呼ぶ。例えば、電動送風機８の運転にともなう負圧は、電動送風機８にもっぱら並進力Ｆｔを作用させる。また、電動送風機８の運転にともなうモータや遠心ファンなどの軸系の振動は、主に電動送風機８にもっぱらラジアル力Ｆｒを作用させる。なお、負圧および軸系の振動は、それぞれ異なる方向の力の成分も有することは言うまでもない。
【００３７】
電動送風機支持構造３３は、掃除機本体２（より詳しくは、送風機室３５）内に電動送風機８を弾性支持する支持構造である。ここで、電動送風機支持構造３３による弾性支持とは、掃除機本体２（より詳しくは、本体ケース５）および電動送風機８の剛性に比べて電動送風機支持構造３３の支持剛性が十分に低いことを言う。
【００３８】
電動送風機支持構造３３は、掃除機本体２と電動送風機８との間に設けられて電動送風機８を軸系の回転軸芯Ｃに直交する方向へ弾性支持するラジアル支持機構４７と、掃除機本体２と電動送風機８との間に設けられて電動送風機８を吸気口４１の開口方向へ往復移動自在に支持するとともに電動送風機８の運転にともなう負圧に抗して電動送風機８を付勢し運転中の電動送風機８を弾性支持する並進支持機構４８（支持機構）と、電動送風機８の吸気口４１と送風機室３５の送風機室吸気口３７とを連通させるとともに電動送風機８の吸込側と送風機室３５内との間を気密に区画する吸気シール部材４９と、を備える。
【００３９】
ラジアル支持機構４７は、電動送風機８の重心近傍に配置されて電動送風機８の重量を支えるとともに電動送風機８の回転軸芯Ｃに直交する方向に作用する振動を絶縁する防振支持構造である。ラジアル支持機構４７は、掃除機本体２の区画壁３６に固定された外周環状体５１と、電動送風機８に設けられたバネ保持突起５２と、外周環状体５１と電動送風機８との間に架設されたコイルバネ５３と、を備える。
【００４０】
外周環状体５１は、コイルバネ５３の反力を支持可能な円環剛性を有する。外周環状体５１は、電動送風機８が配置された内側へ突出させて形成されたバネ保持突起５１ａを備える。バネ保持突起５１ａは、電動送風機８のバネ保持突起５２に対向させて配置されるとともに、掃除機本体２の搬送や電動送風機８の振動によってもバネ保持突起５２に接触することのないよう離間される。
【００４１】
バネ保持突起５２は、電動送風機８の重心に近接させて配置されモータ部４２の外周に設けられる。なお、バネ保持突起５１ａ、５２はコイルバネ５３の個数に対応させて設けられる。
【００４２】
コイルバネ５３は、電動送風機８のバネ保持突起５２と外周環状体５１のバネ保持突起５１ａとの間に挟み込まれ圧縮されて保持される。コイルバネ５３は、３本以上の所要の本数を放射状かつ等間隔に離間させて設けられる。すなわち、電動送風機支持構造３３は、コイルバネ５３によって電動送風機８を掃除機本体２に弾性支持する。なお、コイルバネ５３の代わりに板バネ、トーションバーなどの他の形式のバネや弾性体を用いても良い。
【００４３】
並進支持機構４８は、電動送風機８の並進力Ｆｔに抗して電動送風機８を支えるとともに電動送風機８の吸気口４１の開口方向（図２中、実線矢Ａ）に作用する振動を絶縁する防振支持構造である。また、並進支持機構４８は、電動送風機８の並進力Ｆｔに抗して電動送風機８を支えるとともに運転中の電動送風機８を中立位置へ位置させる。ここで、電動送風機８の中立位置とは、任意の運転モードにおいて運転中の電動送風機８が発生させた負圧と、並進支持機構４８の付勢力とが時間軸において平均的に釣り合う位置である。運転中の電動送風機８は、掃除機本体２の移動や負圧の変動によって中立位置を中心に並進運動を行う。
【００４４】
また、並進支持機構４８は、電動送風機８の負圧に抗して電動送風機８を付勢する付勢部材５６と、電動送風機８の吸気口４１の開口方向に対して略平行かつ逆向きに電動送風機８から突出させて形成された支柱５７と、掃除機本体２に固定されるとともに支柱５７が貫き通された開口５８ａを有する送風機カバー５８（支持壁）と、支柱５７に設けられて送風機カバー５８との間に付勢部材５６を挟み込む座板５９と、付勢部材５６の付勢力を調整する予荷重負荷機構６１と、を備える。
【００４５】
付勢部材５６は、掃除機本体２、電動送風機８および送風機カバー５８に比べて剛性が低く、掃除機本体２、電動送風機８および送風機カバー５８に比べて電動送風機８に働く並進力Ｆｔによって大きく歪む。具体的には、付勢部材５６は、例えばゴムやコイルバネなどの弾性体を用いて構成される。付勢部材５６は、電動送風機８から支柱５７を介して並進力Ｆｔを受けるとその反対の方向へ付勢力を発生させる。この並進力Ｆｔと付勢力とが釣り合うと、付勢部材５６は電動送風機８を弾性支持する。並進力Ｆｔのうち電動送風機８の負圧による成分と付勢力とが時間軸において平均的に釣り合う位置が中立位置である。
【００４６】
また、付勢部材５６は、電動送風機８の負圧に抗する方向へ予め付勢力を有することができる。予め負荷される付勢力は、予荷重負荷機構６１によって調整される圧縮力であり、電動送風機８の負圧による並進力Ｆｔよりも小さく設定される。
【００４７】
支柱５７は、電動送風機８のモータ部４２を覆う樹脂製のモータケース４２ａに一体に形成される。なお、支柱５７は、別部材で形成してモータケース４２ａに固定しても良い。
【００４８】
送風機カバー５８は、電動送風機８のモータ部４２を覆い、ラジアル支持機構４７の外周環状体５１を介して掃除機本体２に固定される。また、送風機カバー５８は、電動送風機８の排気を送風機室３５へ導くカバー部排気口５８ｂを有する。なお、送風機カバー５８内の空気が電動送風機８の遠心ファン部４３の周囲に滞留しないように、外周環状体５１と電動送風機８との間に環状のシールパッキン６２が設けられる。
【００４９】
予荷重負荷機構６１は、支柱５７に座板５９を締結するとともに、座板５９を移動させて付勢部材５６の付勢力を調整する締結部材６５を備える。具体的には、締結部材６５は、雄ネジであり、支柱に形成された雌ネジ６６に締め付けられる。すなわち、予荷重負荷機構６１は、支柱５７へ締結部材６５をねじ込み、座板５９を移動させて付勢部材５６の付勢力を調整する。
【００５０】
吸気シール部材４９は、２つの截頭円錐中空体の小口径側を付き合わせて構成される。一方の截頭円錐中空体４９ａは、大口径開口部４９ｂを区画壁３６に当接させて電動送風機８の吸込側と送風機室３５とを区画する。他方の截頭円錐中空体４９ｃは、大口径開口部４９ｄを電動送風機８の遠心ファン部４３に当接させて電動送風機８の吸込側と送風機室３５とを区画する。
【００５１】
なお、付勢部材５６にコイルバネを用いた場合、送風機カバー５８および座板５９は、付勢部材５６の倒れ込みを防止するようコイルバネの内側を保持する係止凸部６８を形成することが好ましい（図３）。
【００５２】
このように構成された電気掃除機１および電動送風機支持構造３３は、電動送風機８の振動を絶縁する目的においては、掃除機本体２や電動送風機８の剛性に比べて極めて小さな剛性を有する防振支持部であるラジアル支持機構４７および並進支持機構４８を備える。
【００５３】
また、電気掃除機１および電動送風機支持構造３３は、ラジアル支持機構４７によって電動送風機８の重量を支持し、並進支持機構４８によって電動送風機８の並進力Ｆｔを支持する。このとき、並進支持機構４８は、運転中の電動送風機８をその中立位置において弾性支持するため、いわゆる底付きの状態に至ることなく電動送風機８の振動を絶縁できる。
【００５４】
さらに、電気掃除機１および電動送風機支持構造３３は、電動送風機８の負圧成分との釣り合いに基づく中立位置のまわりに電動送風機８の並進力Ｆｔを支持するので、中立位置まわりの振動分に着目して電動送風機８の並進運動の移動範囲を設定できるので、ユーザの扱い易さを考慮して掃除機本体２を小型に保つことができる。
【００５５】
［第２の実施形態］
本発明に係る電気掃除機の第２実施形態について図４を参照して説明する。  
なお、本実施形態において第１実施形態と同じ構成には同一の符号を付し、重複する説明は省略する。  
図４は、本発明の第２実施形態に係る電気掃除機の電動送風機支持構造を示した部分的な断面図である。
【００５６】
図４に示すように、電動送風機支持構造３３Ａは、掃除機本体２と電動送風機８との間に設けられて電動送風機８を吸気口４１の開口方向へ往復移動自在に支持するとともに電動送風機８の運転にともなう負圧に抗して電動送風機８を付勢し運転中の電動送風機８を弾性支持する並進支持機構４８Ａ（支持機構）を備える。
【００５７】
並進支持機構４８Ａは、電動送風機８の並進力Ｆｔに抗して電動送風機８を支えるとともに電動送風機８の吸気口４１の開口方向（図２中、実線矢Ａ）に作用する振動を絶縁する防振支持構造である。また、並進支持機構４８Ａは、電動送風機８の並進力Ｆｔに抗して電動送風機８を支えるとともに運転中の電動送風機８を中立位置へ位置させる。
【００５８】
また、並進支持機構４８Ａは、電動送風機８の負圧に抗して電動送風機８を付勢する付勢部材５６Ａと、掃除機本体２に固定されるとともに電動送風機８との間に架設された付勢部材５６Ａを保持する送風機カバー５８Ａ（支持壁）と、付勢部材５６Ａの付勢力を調整する予荷重負荷機構６１Ａと、を備える。
【００５９】
付勢部材５６Ａは、掃除機本体２、電動送風機８および送風機カバー５８Ａに比べて剛性が低く、掃除機本体２、電動送風機８および送風機カバー５８Ａに比べて電動送風機８に働く並進力Ｆｔによって大きく歪む。具体的には、付勢部材５６は、例えばゴムやコイルバネなどの弾性体を用いて構成される。付勢部材５６Ａは、電動送風機８から並進力Ｆｔを受けるとその反対の方向へ付勢力を発生させる。この並進力Ｆｔと付勢力とが釣り合うと、付勢部材５６Ａは電動送風機８を弾性支持する。
【００６０】
また、付勢部材５６Ａは、電動送風機８の負圧に抗する方向へ予め付勢力を有することができる。予め負荷される付勢力は、予荷重負荷機構６１Ａによって調整される引張力であり、電動送風機８の負圧による並進力Ｆｔよりも小さく設定される。
【００６１】
送風機カバー５８Ａは、電動送風機８のモータ部４２を覆い、ラジアル支持機構４７の外周環状体５１を介して掃除機本体２に固定される。
【００６２】
予荷重負荷機構６１Ａは、付勢部材５６Ａの一端に設けられた雌ネジ部７１と、送風機カバー５８Ａに設けられて雌ネジ部７１に螺合された調整雄ネジ７２と、を備える。なお、雌ネジ部７１と調整雄ネジ７２とは、配置を互いに交換することができる。すなわち、予荷重負荷機構６１Ａは、付勢部材５６Ａの一端および送風機カバー５８Ａのいずれか一方に設けられた雌ネジ部７１と、付勢部材５６Ａの一端および送風機カバー５８Ａのいずれか他方に設けられて雌ネジ部７１に螺合された調整雄ネジ７２と、を備えることができる。予荷重負荷機構６１Ａは、雌ネジ部７１へ調整雄ネジ７２をねじ込み、付勢部材５６を伸縮させて付勢力を調整する。
【００６３】
このように構成された電動送風機支持構造３３Ａは、電動送風機８の振動を絶縁する目的においては、掃除機本体２や電動送風機８の剛性に比べて極めて小さな剛性を有する防振支持部であるラジアル支持機構４７および並進支持機構４８Ａを備える。
【００６４】
また、電動送風機支持構造３３Ａは、ラジアル支持機構４７によって電動送風機８の重量を支持し、並進支持機構４８Ａによって電動送風機８の並進力Ｆｔを支持する。このとき、並進支持機構４８Ａは、運転中の電動送風機８をその中立位置において弾性支持するため、いわゆる底付きの状態に至ることなく電動送風機８の振動を絶縁できる。
【００６５】
さらに、電動送風機支持構造３３Ａは、電動送風機８の負圧成分との釣り合いに基づく中立位置のまわりに電動送風機８の並進力Ｆｔを支持するので、中立位置まわりの振動分に着目して電動送風機８の並進運動の移動範囲を設定できるので、ユーザの扱い易さを考慮して掃除機本体２を小型に保つことができる。
【００６６】
したがって、本実施形態に係る電気掃除機１および電動送風機支持構造３３、３３Ａによれば、電動送風機８の支持剛性を極力抑制しつつ負圧による力を支持できる。
【符号の説明】
【００６７】
１  電気掃除機
２  掃除機本体
３  管部
５  本体ケース
６  車輪
７  塵埃分離集塵部
８  電動送風機
９  本体制御部
１１  電源コード
１２  本体接続口
１４  電源プラグ
１９  接続管
２１  集塵ホース
２２  手元操作管
２３  把持部
２４  操作部
２４ａ  停止スイッチ
２４ｂ  起動スイッチ
２５  延長管
２６  吸込口体
２８  吸込口
２９  回転清掃体
３１  電動機
３３、３３Ａ  電動送風機支持構造
３５  送風機室
３６  区画壁
３７  送風機室吸気口
３８  送風機室排気口
４１  吸気口
４２  モータ部
４２ａ  モータケース
４３  遠心ファン部
４５  排気口
４７  ラジアル支持機構
４８、４８Ａ  並進支持機構
４９  吸気シール部材
４９ａ  截頭円錐中空体
４９ｂ  大口径開口部
４９ｃ  截頭円錐中空体
４９ｄ  大口径開口部
５１  外周環状体
５１ａ  バネ保持突起
５２  バネ保持突起
５３  コイルバネ
５６、５６Ａ  付勢部材
５７  支柱
５８、５８Ａ  送風機カバー
５８ａ  開口
５８ｂ  カバー部排気口
５９  座板
６１、６１Ａ  予荷重負荷機構
６２  シールパッキン
６５  締結部材
６６  雌ネジ
６８  係止凸部
７１  雌ネジ部
７２  調整雄ネジ
【図１】
2011200480.tif 000003
【図２】
2011200480.tif 000004
【図３】
2011200480.tif 000005
【図４】
2011200480.tif 000006